【事件の表示】
　特願２０１３−５０００６７「電動空気浄化式呼吸用保護具」拒絶査定不服審判事件〔平成２３年　９月２２日国際公開、ＷＯ２０１１／１１５７５４、平成２５年　６月１３日国内公表、特表２０１３−５２１９３３〕について、次のとおり審決する。
【結　論】
　本件審判の請求は、成り立たない。
【理　由】
第１　手続の経緯
　本願は、２０１１（平成２３）年３月３日（パリ条約による優先権主張　外国庁受理２０１０（平成２２）年３月１７日　英国）を国際出願日とする出願であって、平成２４年９月１４日に特許法第１８４条の５第１項に規定する国内書面が提出され、平成２４年１１月１３日に特許法第１８４条の４第１項に規定する明細書、請求の範囲及び要約書の日本語による翻訳文が提出され、平成２６年２月２６日に特許請求の範囲を補正する手続補正書が提出され、平成２６年１２月２５日付けで拒絶理由が通知されたのに対し、平成２７年４月３日に意見書及び手続補正書が提出されたが、平成２７年６月１１日付けで拒絶査定がされ、平成２７年１０月１３日に拒絶査定不服審判が請求されると同時に特許請求の範囲を補正する手続補正書が提出され、その後、平成２８年３月１６日及び平成２８年４月１５日に上申書が提出されたものである。
　
第２　平成２７年１０月１３日付けの手続補正についての補正の却下の決定
　
［補正の却下の決定の結論］
　平成２７年１０月１３日付けの手続補正を却下する。
　
［理由］
１　本件補正
（１）本件補正の内容
　平成２７年１０月１３日提出の手続補正書による手続補正（以下、「本件補正」という。）は、特許請求の範囲の請求項１に関しては、本件補正前の（すなわち、平成２７年４月３日付け手続補正書により補正された）特許請求の範囲の請求項１の下記（ア）の記載を、本件補正後の特許請求の範囲の請求項１の下記（イ）の記載へと補正するものである。
  
（ア）本件補正前の特許請求の範囲の請求項１
「　【請求項１】
　濾過された空気の強制的な流れを着用者に送給するための電動空気浄化式呼吸用保護具であって、
　ファンと、電気モータと、無線電子制御送受信機を有する電子制御ユニットとを含む、ターボユニット構成要素を備える、ターボユニットであって、前記ファンが、前記電子制御ユニットの制御下で前記電気モータによって駆動され、前記電子制御ユニットが、前記電子制御送受信機を介して情報を送受信するように構成されている、ターボユニットと、
　前記ターボユニット構成要素に電力を提供するターボユニット電源と、
　無線ターボ遠隔制御送受信機を有するターボ遠隔制御ユニットと、
　無線ターボ状態送受信機を有する、前記ターボユニット及び／又は前記ターボユニット構成要素の現在の動作状態を表示するように適合された、少なくとも１つのターボ状態表示器ユニットと、を備え、
　前記ターボ遠隔制御ユニット及び前記ターボ状態表示器ユニットのうちの少なくとも１つが、前記ターボユニットから遠隔にあり、前記電子制御送受信機、前記ターボ遠隔制御送受信機、及び前記ターボ状態送受信機のうちの少なくとも２つが、互いに無線通信し、７５メートル未満の範囲内において通信するように構成され、
　前記電子制御送受信機、前記ターボ遠隔制御送受信機、及び前記ターボ状態送受信機が、閉ループネットワークとして配置される、電動空気浄化式呼吸用保護具。」
　
（イ）本件補正後の特許請求の範囲の請求項１
「　【請求項１】
　濾過された空気の強制的な流れを着用者に送給するための電動空気浄化式呼吸用保護具であって、
　ファンと、電気モータと、無線電子制御送受信機を有する電子制御ユニットとを含む、ターボユニット構成要素を備える、ターボユニットであって、前記ファンが、前記電子制御ユニットの制御下で前記電気モータによって駆動され、前記電子制御ユニットが、前記電子制御送受信機を介して情報を送受信するように構成されている、ターボユニットと、
　前記ターボユニット構成要素に電力を提供するターボユニット電源と、
　無線ターボ遠隔制御送受信機を有するターボ遠隔制御ユニットと、
　無線ターボ状態送受信機を有する、前記ターボユニット及び／又は前記ターボユニット構成要素の現在の動作状態を表示するように適合された、少なくとも１つのターボ状態表示器ユニットと、を備え、
　前記ターボ遠隔制御ユニット及び前記ターボ状態表示器ユニットのうちの少なくとも１つが、前記ターボユニットから遠隔にあり、前記電子制御送受信機、前記ターボ遠隔制御送受信機、及び前記ターボ状態送受信
機が
　前記電子制御送受信機、前記ターボ遠隔制御送受信機、及び前記ターボ状態送受信機が、閉ループネットワークとして配置される、電動空気浄化式呼吸用保護具。」
（なお、下線は、補正箇所を示すために請求人が付したものである。）
  
（２）本件補正の目的
　本件補正は、本件補正前の特許請求の範囲の請求項１における発明特定事項である「前記電子制御送受信機、前記ターボ遠隔制御送受信機、及び前記ターボ状態送受信機のうちの少なくとも２つが、互いに無線通信し、７５メートル未満の範囲内において通信するように構成され」を、本件補正後に「前記電子制御送受信機、前記ターボ遠隔制御送受信機、及び前記ターボ状態送受信
機が
　したがって、本件補正は、特許請求の範囲の請求項１に関しては、特許法第１７条の２第５項第２号の特許請求の範囲の減縮を目的とするものに該当する。
　
２　独立特許要件についての判断
　本件補正における特許請求の範囲の請求項１に関する補正は、前述したように、特許請求の範囲の減縮を目的とするものに該当するので、本件補正後の特許請求の範囲の請求項１に記載された事項により特定される発明（以下、「本願補正発明」という。）が、特許出願の際独立して特許を受けることができるものであるかについて、以下に検討する。
　
２−１　引用文献
２−１−１　引用文献１
（１）引用文献１の記載
　本願の優先日前に頒布され、原査定の拒絶の理由に引用された刊行物である国際公開第２００９／０６７５８３号（以下、「引用文献１」という。）には、「ＭＯＤＵＬＡＲ　ＰＯＷＥＲＥＤ　ＡＩＲ　ＰＵＲＩＦＹＩＮＧ　ＲＥＳＰＩＲＡＴＯＲ」に関し、図面とともに、例えば、次のような記載がある。なお、当審仮訳は、特表２０１１−５０４３９８号公報の記載を参考にし当審で作成した。（当審仮訳中の段落番号は、特表２０１１−５０４３９８号公報の対応部分の記載による。）また、下線は、理解の一助のため当審で付したものである。
　
（ア）「[0002] The invention relates to powered air purifying respirators. In one of its aspects, the invention relates to a modular powered air purifying respirator that is adapted to be removably mounted to a respirator mask and to a filter canister. In another of its aspects, the invention relates to a modular powered air purifying respirator that is adapted to be removably mounted to a hose that is connected to a respirator mask. In yet another of its aspects, the invention relates to a modular powered air purifying respirator that has a portable, rechargeable power source. In yet another of its aspects, the invention relates to a sealed modular powered air purifying respirator that has a replaceable, portable power source. In yet another of its aspects, the invention relates to a modular powered air purifying respirator which delivers a constant flow of purified air to a respirator in the event of partial filter clogging.」（段落［０００２］）
｛当審仮訳：「【０００１】
　
本発明は電動式空気浄化呼吸器（powered air purifying respirators：電動ファン付き呼吸用保護具）に関する
本発明は、呼吸マスク及びフィルタキャニスタに着脱可能に装着されるようになっている電動式空気浄化呼吸器モジュールに関する
本発明の別の態様では、本発明は、呼吸マスクに接続されるホースに着脱可能に装着されるようになっている電動式空気浄化呼吸器モジュールに関する
本発明のさらに別の態様では、本発明は、充電式ポータブル電源を有する電動式空気浄化呼吸器モジュールに関する
　
（イ）「[0003] Powered air-purifying respirators (PAPRs) continually supply positive air pressure to a respirator to maintain positive pressure in the respirator. PAPRs are generally used in military, industrial or hazardous environments to provide personal respiratory protection by preventing ambient air from entering the user's mask, helmet, or hood. Respiratory hazards might include particulate matter, harmful gases, or vapors, which are removed by passing the ambient air through the filter. Typically, a powered air-purifying respirator includes a powered fan that forces ambient air through one or more filters for delivery to an inlet opening in the respirator. The fan and filter may be mounted on a facemask, or in some cases, may be mounted on a belt or backpack and connected to the  facemask through a hose and a fan. Power for the fans are typically mounted remote from the facemask but can also be mounted on the mask itself.」（段落［０００３］）
｛当審仮訳：「【０００３】
　
電動式空気浄化呼吸器（ＰＡＰＲ）は、正の空気圧を呼吸器に連続供給することで呼吸器内に正圧を維持する
これらは周囲空気をフィルタに通すことによって除去される
電動式空気浄化呼吸器は、周囲空気を強制的に１つ又は複数のフィルタに通して呼吸器の入口開口部に送る電動ファンを備える
ファン及びフィルタはフェイスマスクに装着されてもよく、又は、場合よってはベルト若しくはバックパックに装着されてホース及びファンを介してフェイスマスクに接続されてもよい
ファン用の電源は典型的にフェイスマスクから離して装着されるが、マスク自体に装着されることもできる
　
（ウ）「[0007] According to the invention, a modular powered air purifying respirator (PAPR) comprises a housing, a fan, a motor, and a portable power source mounted within a housing, an inlet opening in the housing for selectively mounting a filter canister for filtering air that is drawn into the inlet opening, an outlet opening formed in the housing; and a releasable mounting connector that is adapted to mount the housing to a facepiece of a respirator mask or to a conduit that is fluidly connected a facepiece inlet opening of a respirator mask. The modular PAPR can thus be positioned between a filter canister and a respirator mask, or between a filter and a conduit connected to a respirator mask, to draw air in axial flow through the filter and deliver filtered air to a mask.
[0008] In one embodiment, the housing is formed by an upper cylindrical portion and a lower cylindrical portion. In another embodiment, the power source is mounted within the upper cylindrical portion of the housing and the power source comprises at least one battery.
Preferably, the at least one battery is rechargeable. Typically, there are multiple batteries that are spaced annularly about a central axis of the housing.
[0009] In another embodiment, the housing further has a receptacle electrically connected to the motor for powering the motor. In addition, the receptacle electrically can be connected to the power source for recharging the power source. Further, the (PAPR) module can have a control circuit electrically connected to the motor and the power source for controlling the power to the motor.
[00010] In a preferred embodiment, a scroll is mounted between the fan and the outlet opening to optimize the air flow to the respirator.
[00011] In another embodiment, the inlet opening is formed by an internally threaded sleeve. In addition, the outlet opening can be formed by an externally threaded sleeve.
[00012] In yet another embodiment, the inlet opening is formed by a bayonet connector.
In addition, the outlet opening can be formed by a bayonet connector.
[00013] In use, ambient air is drawn into the inlet opening through the attached filter by the centrifugal fan, which is driven by direct connection to the shaft of the motor. The air is then accelerated by an optimized scroll to pass pressurized air through the outlet opening to a respirator mask.
[00014] The PAPR module can be employed in multiple use configurations. For example, it could also be configured for use with an air hose and belt, and worn on the waist, back, or any remote location.  」（段落［０００７］ないし［０００１４］）
｛当審仮訳：「【０００７】
　本発明によれば、
電動式空気浄化呼吸器（ＰＡＰＲ）モジュールが、ハウジングと、ファンと、モータと、ハウジング内に装着されるポータブル電源と
【０００８】
　一実施の形態では、ハウジングは上部円筒部及び下部円筒部によって形成される。別の実施の形態では、
電源は、ハウジングの上部円筒部内に装着され、少なくとも１つのバッテリを含む
【０００９】
　別の実施の形態では、ハウジングは、モータに給電するように該モータに電気的に接続されるコンセント（receptacle）をさらに有する。さらに、コンセントは、電源を充電するように該電源に電気的に接続される。さらに、
（ＰＡＰＲ）モジュールは、モータへの電力を制御するようにモータ及び電源に電気的に接続される制御回路を有することができる
【００１０】
　好ましい実施の形態では、スクロールが、呼吸器への空気流を最適化するようにファンと出口開口部との間に装着される。
【００１１】
　別の実施の形態では、入口開口部は雌ねじ付きスリーブによって形成される。さらに、出口開口部は雌ねじ付きスリーブによって形成されることができる。
【００１２】
　さらに別の実施の形態では、入口開口部はバヨネット型コネクタによって形成される。さらに、出口開口部は、バヨネット型コネクタによって形成されることができる。
【００１３】
　使用の際、
モータのシャフトへの直接接続によって駆動される遠心ファン
【００１４】
　
ＰＡＰＲモジュールは複数の使用構成で用いることができる
例えば、ＰＡＰＲモジュールは空気ホース及びベルトと共に使用するように構成することもでき、腰、背中又は任意の離れた箇所に着用することもできる
　
（エ）「[00034] Referring to FIGS. 1 and 2, a first embodiment of a powered air purifying respirator (PAPR) module 10 according to the present invention is illustrated. The PAPR module 10 is a self-contained, compact unit, and generally comprises a motor 24, a fan 26, a scroll 28, and a power source 22 all within a single housing 12. The PAPR module 10 has an inlet 18 that can be attached to an air filtering means, and an outlet 20 that can be attached to a user- wearable respiration protection device. The PAPR module 10 can be considered an in-line PAPR, wherein the inlet 18 and outlet 20 are co-axially aligned, such that the direction of inlet and outlet airflow is generally parallel to the center axis of the PAPR. 
（中略）
[00041] The centrifugal fan 26, scroll 28 and motor 24 are positioned within the sealed breathing zone 36. The centrifugal fan 26 and motor 24 are co-axial and the centrifugal fan 26 is driven by direct connection to a shaft 30 of the motor 24. The scroll 28 encircles the centrifugal fan 26 and is located between the fan and the lower body 16. The centrifugal fan 26 draws air through the inlet 18 and propels it radially. The scroll 28 then spirally directs the pressurized air toward the outlet 20. The motor 24 is preferably oriented in axial alignment with the central axis of the housing.」（段落［０００３４］ないし［０００４１］）
｛当審仮訳：「【００１６】
　図１及び図２を参照すると、本発明による電動式空気浄化呼吸器（ＰＡＰＲ）モジュール１０の第１の実施形態が示されている。ＰＡＰＲモジュール１０は、内蔵型コンパクトユニットであり、包括的に
モータ２４、ファン２６、スクロール２８及び電源２２を全て、一つのハウジング１２内に備える
（中略）
【００２３】
　遠心ファン２６、スクロール２８及びモータ２４は密閉呼吸ゾーン３６内に位置付けされる。
遠心ファン２６及びモータ２４は同軸であり、遠心ファン２６はモータ２４のシャフト３０への直接接続によって駆動される
　
（オ）「[00042] Referring to FIG. 3, a controller 42 is located on the face 68 of the lower body cover 32. The controller 42 monitors the speed of the centrifugal fan 26 and controls the motor 24 speed in response to the monitored fan speed to ensure a substantially constant flow rate through the PAPR module 10. Control of the motor 24 by this method provides the ability to maintain a minimum flow rate between the inlet 18 and outlet 20 openings, even when an air filter in line with the inlet 18 is partially clogged. The controller is connected to a speed sensor (not shown) that senses that rotational speed of the motor shaft, compares the sensed speed to a predetermined speed set in the controller and adjusts the power to the motor so that the sensed speed matches the predetermined. To this end, the controller has a power supply circuit that is connected to the batteries and is also connected to the motor to control the current supplied to the motor. The power switch 66 is slidable between open and closed position to controls the power supplied by the batteries to the controller 42. . 
[00043] The controller 42 can further be configured to store a simplistic and limited amount of data, with possible received inputs from the motor 24 and the power source 22. Operational data, such as the voltage of the power source 22 can be measured and monitored. 
[00044] Referring to FIGS. 2 and 3, the upper body 14 and lower body cover 32 together form an enclosed space 90 in which the power source 22 can be located. The power source provides power at least to the motor 24 and the controller 42.
[00045] The power source 22 is typically one or more rechargeable batteries 22. The batteries 22 are received within cradles 92 formed on the face 68 of the lower body cover 32 and spaced annularly about the threaded filter connector 64. The upper body 14 serves as a lid to enclose the batteries 22 located within the cradles and can optionally be removable to gain access the batteries 22. The batteries 22 can be configured to provide power to the motor 24 for up to eight hours of continuous run time.」（段落［０００４２］ないし［０００４５］）
｛当審仮訳：「【００２４】
　図３を参照すると、
コントローラ４２が下部体カバー３２の面６８に位置している
コントローラ４２は遠心ファン２６の速度を監視し、監視したファン速度に応じてモータ２４の速度を制御することで、ＰＡＰＲモジュール１０を流れる実質的に一定の流量を確実にする
コントローラは速度センサ（図示せず）に接続され、この速度センサがモータシャフトの回転速度を検知し、検知した速度を、コントローラに設定した所定の速度と比較し、検知した速度が所定の速度と一致するようにモータへの電力を調整する
このため、コントローラは、モータに供給される電流を制御するように、バッテリに接続されると共にモータにも接続される電源回路を有する
【００２５】
　
コントローラ４２はさらに、単純な限られた量のデータを格納するように構成することができ、モータ２４及び電源２２からの入力が可能な限り受け取られる
電源２２の電圧等の動作データを測定及び監視することができる
【００２６】
　図２及び図３を参照すると、上部体１４及び下部体カバー３２が共に、電源２２を配置することができる包囲空間９０を形成している。
電源は少なくともモータ２４及びコントローラ４２に電力を供給する
【００２７】
　
電源２２は典型的に、１つ又は複数の充電式バッテリ２２である
バッテリ２２は、最大８時間の連続稼動時間、モータ２４に電力を供給するように構成することができる
　
（カ）「[00050] Referring to FIG. 8, a fourth embodiment of the PAPR module 10 according to the present invention is illustrated, where similar elements from the first embodiment are labeled with the same reference numerals. In this embodiment, the PAPR module 10 includes a cable management feature and an interface port 74 by which the enclosed rechargeable batteries 22 may be charged. Charging of the batteries 22 is accomplished by affixing to a socket on the interface port 74 a complementary plug 78 of an AC charger 76. Further, the AC charger 76 can be attached to the socket of the interface port 74 and to an AC outlet to provide a power source for the PAPR module 10. Optionally, an external battery pack 80 can be connected to the PAPR module 10 through the interface port 74. The external battery pack 80 can provide power to the PAPR module 10 for extended use, up to, for example, twelve hours or more of  run time. When the external battery pack 80 is plugged into the interface port 74, the PAPR module 10 is powered first by the battery pack 80; upon depletion of the battery pack 80, the system hot-swaps to run for additional time, now powered by the internal batteries 22. A warning light 70 signals to the user that the battery pack 80 is close to depletion, and the PAPR module 10 is automatically switched to the internal batteries 22 when depletion of the battery pack 80 does occur. An alarm can also sound to additionally signal to the user that the battery pack 80 is close to depletion, and that a hot-swap is about to occur. The AC charger 76 and external battery pack 80 can be two separate components, or can be combined into one multi-purpose component.
[00051] Furthermore, the interface port 74 can function as a multipurpose communication port to the PAPR module 10. The interface port 74 can be configured to provide inputs, for example to disable the audible alarm in desirable situations. Data stored by the controller 42 can also be uploaded to a remote computer through the interface port 74 to provide information, for example, of run time or activation of the warning system. 
[00052] The cable management function is provided by a plug cavity 44 and a crescent groove 46. The interface port 74 is located at approximately the center of the plug cavity 44 the plug 78 can be inserted into the interface port 74 along the plug cavity 44 in either of two directions. The plug cavity 44 can thus be used for either right or left handed orientation. The crescent groove 46 is formed on the surface of the lower body 16 periphery and is spaced from the plug cavity 44. The crescent groove 46 is formed to receive and retain a cable 88 extending from the plug 78. The cable 88 is inserted into the crescent groove 46 to keep the plug 78 from being dislodged from the interface port 74. There are multiple crescent grooves 46 on the lower body 16 surface to further aid in selectively orienting the plug 78 for either right or left handed users.
[00053] The PAPR module 10 can be designed for extended use or for one-time use, after which the PAPR module 10 may be discarded, depending on the economics of the prospective use. For an extended use model, the PAPR 10 can utilize components with longer use lives, and may be higher cost components, such as a precious metal brushed motor 24 and rechargeable lithium-ion batteries for the power source 22. For a one-time use model, the PAPR module 10 can utilize components that do not have to be used more than one, and may be lower cost components, such as a less expensive motor 24 with a lower life expectancy or durability and alkaline batteries for the power source 22. The one-time use  model can also be made available to the consumer with a filter 58 bonded to the PAPR module 10, and packaged in a sealed package to be opened by the user at the time of need. （段落［０００５０］ないし［０００５３］）
｛当審仮訳：「【００３２】
　図８を参照すると、本発明によるＰＡＰＲモジュール１０の第４の実施形態が示されており、ここでは、第１の実施形態による要素と同様の要素が同じ参照符号を付されている。この実施形態では、
ＰＡＰＲモジュール１０はケーブル管理機構及びインタフェースポート７４を備え
【００３３】
　さらに、
インタフェースポート７４がＰＡＰＲモジュール１０に対し多目的通信ポートとして機能することができる
【００３４】
　ケーブル管理機能がプラグ穴４４及び三日月形の溝４６によって提供される。インタフェースポート７４はプラグ穴４４のおよそ中心に位置するため、プラグ７８をプラグ穴４４に沿って２つの方向のいずれにもインタフェースポート７４に挿入することができる。このように、プラグ穴４４は右手方向又は左手方向のいずれにも用いることができる。三日月形の溝４６は下部体１６の周縁の表面上に形成され、プラグ穴４４から離間している。三日月形の溝４６は、プラグ７８から延びるケーブル８８を収容及び保持するように形成されている。ケーブル８８が三日月形の溝４６に挿入されることで、プラグ７８がインタフェースポート７４から外れないようにする。下部体１６の表面上には複数の三日月形の溝４６があり、右利きユーザ又は左利きユーザのいずれの場合にもプラグ７８の向きを選択的に決める際にさらに役立つようになっている。
【００３５】
　ＰＡＰＲモジュール１０は、長時間使用又は使い捨て用に設計することができ、使用後、期待使用の経済性に応じて廃棄してもよい。長時間使用モデルの場合、ＰＡＰＲ１０は、使用寿命がより長いコンポーネントを用いることができるが、貴金属製のブラシモータ２４、及び電源２２用に充電式リチウムイオン電池等、コストがより高いコンポーネントとなるであろう。使い捨てモデルの場合、ＰＡＰＲモジュール１０は２回以上使用される必要のないコンポーネントを用いることができるため、寿命又は耐久性がより低く費用のあまりかからないモータ２４、及び電源２２用にアルカリ電池等、コストがより低いコンポーネントとなるであろう。また、使い捨てモデルは、フィルタ５８がＰＡＰＲモジュール１０に付いており必要時にユーザによって開けられる密封パッケージ内にパッケージされている状態で消費者に利用可能にすることもできる。」｝
　
（キ）「[00058] In both the remote, or belt- worn, configurations shown in FIGS. 10 and 11, a remote switch 112 can be advantageously used to remotely power on/off the PAPR module 10 when it is worn on the back, or other location, as shown in FIG. 8 A. The remote switch 112 plugs into the interface port 74, in similar fashion as described above, and can also be configured to provide the user with information, such as run time or battery life indication, for example. The remote switch 112 can be clipped to the user's belt or other object, could be carried in the user's pocket, or any other suitable means or method. The remote switch 112 beneficially allows the user easy access, without having to remove the belt, to power the PAPR module 10 on or off when it is located in a hard to reach location, such as the user's back.」（段落［０００５８］）
｛当審仮訳：「【００４０】
　図１０及び図１１に示すリモート型構成又はベルト着用型構成ではいずれも、
リモートスイッチ１１２
リモートスイッチ１１２は上述したのと同様の仕方でインタフェースポート７４にプラグ接続し、例えば稼働時間又はバッテリ寿命表示等の情報をユーザに提供するように構成することもできる
　
（ク）「[00059] Referring to FIG. 12, a fourth user configuration is shown where the PAPR module 10 can be used with a wireless transmitter 114 that can be affixed to the interface port 74 for wireless communication to a heads up display module 116 located in the user's facepiece 56 or hood. The heads up display can be mounted in the facepiece 56, and can display operational information, such as run time or battery power level, for example, to be viewed by the user on the inside of the facepiece 56. The heads up wireless transmitter 114 and display module 116 can be used with both a mask mounted PAPR module 10 and a belt or remote mounted PAPR module 10. 
[00060] One of the most significant benefits the PAPR module 10 provides is the ability to modularize the respirator system. Depending on several variables, such as the hazard to protect against or the economics of the prospective user, the PAPR module 10 can be used in several different configurations and against a variety of hazards. The same PAPR module 10 can be mounted on the user's facemask or mounted on a plenum belt 98 to advantageously protect against CBRN hazards. This modularity is unique to the disclosed invention.
 [00061] To this end, the PAPR module 10 can be made available to the consumer in various kits. These kits can consist of the PAPR module 10 and multiple combinations of the accessory components, such as a hose 82, mask 56, hood, external battery pack 80, belt or harness, wireless heads up display 114, 116, battery charger 76, or filters 58. The various combinations of components within the kits can be offered to the consumer based on typical use configurations and perceived user needs.」（段落［０００５９］ないし［０００６１］）
｛当審仮訳：「【００４１】
　図１２を参照すると、第４のユーザ構成が示されており、ここでは、
ＰＡＰＲモジュール１０をワイヤレス送信器１１４と共に用いることができ、この送信器１１４は、ユーザの面体５６又はフードに配置されるヘッドアップディスプレイモジュール１１６へのワイヤレス通信のためにインタフェースポート７４に挿入することができる
ヘッドアップディスプレイは面体５６内に装着され、例えば面体５６の内側にユーザによって明示される稼働時間又はバッテリ電力レベル等の動作情報を表示することができる
ヘッドアップワイヤレス送信器１１４及びディスプレイモジュール１１６は、マスク装着型ＰＡＰＲモジュール１０及びベルト型又はリモート装着型ＰＡＰＲモジュール１０の双方と使用することができる
【００４２】
　
ＰＡＰＲモジュール１０が提供する最も有意な利益の１つは、呼吸器システムをモジュール化することができることである
【００４３】
　このため、ＰＡＰＲモジュール１０は様々なキットで消費者に利用可能に作製されることができる。これらのキットは、ＰＡＰＲモジュール１０と、ホース８２、マスク５６、フード、外部バッテリパック８０、ベルト若しくはハーネス、ワイヤレスヘッドアップディスプレイ１１４、１１６、バッテリ充電器７６又はフィルタ５８等の付属部品の複数の組合せとから成ることができる。キット内の部品の様々な組合せは、典型的な使用構成及び把握されたユーザニーズに基づいて消費者に提供することができる。」｝
　
（ケ）「　CLAIMS
　What is claimed is:
　1. A powered air purifying respirator (PAPR) module comprising: a housing; a fan having a fan inlet and a fan outlet, a motor operably connected to the fan for driving the fan, and a power source mounted within a housing and operably connected to the motor for powering the motor; an inlet opening in the housing in fluid communication with the fan inlet for selectively mounting a filter canister for filtering air that is drawn into the inlet opening; an outlet opening formed in the housing and in fluid communication with the fan outlet; and a releasable mounting connector that is adapted to mount the housing to a facepiece of a respirator mask or to a conduit that is fluidly connected a facepiece inlet opening in a respirator mask; whereby the modular PAPR can be positioned between a filter canister and a respirator mask or between a filter canister and a conduit that is connected to a respirator mask.
　2. The powered air purifying respirator (PAPR) module according to claim 1 wherein the housing is formed by an upper cylindrical portion and a lower cylindrical portion.
　3. The powered air purifying respirator (PAPR) module according to claim 2 wherein the power source is mounted within the upper cylindrical portion of the housing.
　4. The powered air purifying respirator (PAPR) module according to any of claims 1-3 wherein the power source comprises at least one battery.
　5. The powered air purifying respirator (PAPR) module according to claim 4 wherein the at least one battery is rechargeable 
　6. The powered air purifying respirator (PAPR) module according to claim 4 or 5 wherein there are multiple batteries that are spaced annularly about a central axis of the housing.
　7. The powered air purifying respirator (PAPR) module according to claim any of claims 1-6 wherein the housing further has a receptacle electrically connected to the motor for powering the motor.
　8. The powered air purifying respirator (PAPR) module according to any of claims 1-6 wherein the power source is rechargeable and the housing further has a receptacle electrically connected to the power source for recharging the power source.
　9. The powered air purifying respirator (PAPR) module according to any of claims 1-8 and further comprising a controller electrically connected to the motor and the power source for controlling the power to the motor.
　10. The powered air purifying respirator (PAPR) module according to any of claims 1-9 and further comprising a scroll mounted between the fan outlet and the housing outlet opening to optimize the air flow to the respirator.
　11. The powered air purifying respirator (PAPR) module according to any of claims 1-10 wherein the inlet opening is formed by an internally threaded sleeve.
　12. The powered air purifying respirator (PAPR) module according to any of claims 1-11 wherein the outlet opening is formed by an externally threaded sleeve.
　13. The powered air purifying respirator (PAPR) module according to any of claims 1-10 wherein the inlet opening is formed by a bayonet connector.
　14. The powered air purifying respirator (PAPR) module according to any of claims 1-10 and 13 wherein the outlet opening is formed by a bayonet connector. 
　15. The powered air purifying respirator (PAPR) module according to any of claims 1-10, 13 and 14 and further including an indicator for informing a user of a condition of the PAPR.
　16. The powered air purifying respirator (PAPR) module claim 15 wherein the condition is the life of any battery in the PAPR module.
　17. The powered air purifying respirator (PAPR) module claim 15 wherein the condition is low air flow through the PAPR module.
　18. The powered air purifying respirator (PAPR) module according to any of claims 15-17 wherein the indicator is an audible signal.
　19. The powered air purifying respirator (PAPR) module according to any of claims 15-17 wherein the indicator is a visual signal.
　20. The powered air purifying respirator (PAPR) module claim 19 wherein the visual signal extends around the circumference of the PAPR module for viewing from any angle.
　21. The powered air purifying respirator (PAPR) module according to any of claims 1-20 and further comprising a switch having an actuator mounted to an external portion of the housing for controlling the power to the motor, wherein the external portion of the housing on which the switch is mounted is rotatable with respect to other parts of the housing so that the switch actuator can be oriented for operation by a right hand or left hand of the user.
　22. The powered air purifying respirator (PAPR) module according to claim 7 wherein the housing further has wire management channels adjacent the receptacle for receiving a wire that leads to the receptacle from either side of the receptacle.
　23. The powered air purifying respirator (PAPR) module according to claim 9 wherein the controller is adapted to store data that can also be uploaded to a remote computer through an interface port provide information related to conditions of the PAPR or its operation. 
　24. The powered air purifying respirator (PAPR) module according to claim 23 wherein the controller is adapted receive inputs from a remote source for control of the PAPR module.
　25. The powered air purifying respirator (PAPR) module according to claim 24 wherein the interface port is wireless.
　26. The powered air purifying respirator (PAPR) module according to claim 24 wherein the interface port includes a receptacle in the housing that is hard wired t the controller.
　27. The powered air purifying respirator (PAPR) module according to any of claim 9-26 the controller is adapted to monitor the speed of the fan and control the motor speed in response to the monitored fan speed to adjust the fan speed for a substantially constant flow rate through the PAPR module.
　28. The powered air purifying respirator (PAPR) module according to any of claim 9-26 the controller is adapted to monitor the internal battery life and to connect the motor to an external power source when the internal battery life falls below a predetermined level.
　29. The powered air purifying respirator (PAPR) module according to any of claims 1-28 and further comprising a remote switch spaced from the PAPR module and connected to the power source for enabling or disabling the power source.
　30. The powered air purifying respirator (PAPR) module according to any of claims 1-29 and further comprising a remote heads up display adapted to be mounted to a mask or other structure that is visible to a user and connected to the PAPR module to indicate a condition of the PAPR.
　31. A air purifying kit for use with a mask or hood and comprising: one or more powered air purifying respirator (PAPR) module according to any of claims 1-30;  one or more filtration modules that are adapted to mount to the PAPR module and to filter CBN, NBC CBRN, TIM and particulate materials in the atmosphere; optionally, an auxiliary power source with a wire that is adapted to connect to the PAPR and supply power to the motor therein, and optionally, a battery charger, a belt for remote mounting one or more of the PAPR modules to the body of a user a hose kit for connecting the one or more of the remotely mounted PAPR modules to a mask or hood ; and optionally, a heads up display for mounting to a mask or hood of a user. 」（特許請求の範囲の請求項１ないし３１）
｛当審仮訳：「【請求項１】
　電動式空気浄化呼吸器（ＰＡＰＲ）モジュール（１０）であって、
　ハウジング（１２）と、
　前記ハウジングに装着されると共に、ファン入口及びファン出口を有する、ファン（２６）と、前記ハウジングに装着されると共に、
前記ファン（２６）を駆動するように該ファン（２６）に動作可能に接続される、モータ（２４）と
前記ハウジング（１２）内に装着されると共に、前記モータ（２４）に給電するように該モータ（２４）に動作可能に接続される、電源（２２）と
　前記ハウジング（１２）内の入口開口部（１８）であって、前記ファン入口と流体連通すると共に、該入口開口部（１８）に引き込まれる空気を濾過するフィルタキャニスタ（５８）を選択的に装着するようになっている、入口開口部（１８）と、
　前記ハウジング（１２）内に形成されると共に、前記ファン出口と流体連通する、出口開口部（２０）であって、呼吸器マスクの面体（５６）に、又は該呼吸器マスク内の面体入口開口部（９６）と流体接続される導管（８２）に、前記ハウジング（１２）を装着するようになっている取り外し可能な装着コネクタ（６０）を有する、出口開口部（２０）と、
を備え、
　該ＰＡＰＲモジュール（１０）は、前記フィルタキャニスタ（５８）と前記呼吸器マスクとの間、又は前記フィルタキャニスタ（５８）と前記呼吸器マスクに接続される前記導管（８２）との間に位置付けされることができる、電動式空気浄化呼吸器（ＰＡＰＲ）モジュール。
【請求項２】
　電動式空気浄化呼吸器モジュール（１０）であって、
　前記ハウジング（１２）は上部円筒部（１４）及び下部円筒部（１６）によって形成される、請求項１に記載の電動式空気浄化呼吸器（ＰＡＰＲ）モジュール。
【請求項３】
　電動式空気浄化呼吸器モジュール（１０）であって、
　前記電源（２２）は前記ハウジング（１２）の前記上部円筒部（１４）内に装着される、請求項２に記載の電動式空気浄化呼吸器（ＰＡＰＲ）モジュール。
【請求項４】
　電動式空気浄化呼吸器モジュール（１０）であって、
　前記電源（２２）は少なくとも１つのバッテリを含む、請求項３に記載の電動式空気浄化呼吸器（ＰＡＰＲ）モジュール。
【請求項５】
　電動式空気浄化呼吸器モジュール（１０）であって、
　前記少なくとも１つのバッテリは充電式である、請求項４に記載の電動式空気浄化呼吸器（ＰＡＰＲ）モジュール。
【請求項６】
　電動式空気浄化呼吸器モジュール（１０）であって、
　前記ハウジング（１２）の中心軸の周りに環状に離間した複数のバッテリがある、請求項４に記載の電動式空気浄化呼吸器（ＰＡＰＲ）モジュール。
【請求項７】
　電動式空気浄化呼吸器モジュール（１０）であって、
　前記ハウジング（１２）は、前記モータ（２４）に給電するように該モータ（２４）に電気的に接続されるコンセント（７８）をさらに有する、請求項１に記載の電動式空気浄化呼吸器（ＰＡＰＲ）モジュール。
【請求項８】
　電動式空気浄化呼吸器モジュール（１０）であって、
　前記電源（２２）は充電式であり、前記ハウジング（１２）は、該電源（２２）を充電するように該電源（２２）に電気的に接続される前記コンセント（７８）をさらに有する、請求項７に記載の電動式空気浄化呼吸器（ＰＡＰＲ）モジュール。
【請求項９】
　電動式空気浄化呼吸器モジュール（１０）であって、
　
前記モータ（２４）への電力を制御するように前記モータ（２４）及び前記電源（２２）に電気的に接続されるコントローラ（４２）をさらに備える
【請求項１０】
　電動式空気浄化呼吸器モジュール（１０）であって、
　前記呼吸器への空気流を最適化するように前記ファン出口と前記ハウジングの前記出口開口部（２０）との間に装着されるスクロール（２８）をさらに備える、請求項９に記載の電動式空気浄化呼吸器（ＰＡＰＲ）モジュール。
【請求項１１】
　電動式空気浄化呼吸器モジュール（１０）であって、
　前記入口開口部（１８）は雌ねじ付きスリーブ（６４）によって形成される、請求項１０に記載の電動式空気浄化呼吸器（ＰＡＰＲ）モジュール。
【請求項１２】
　電動式空気浄化呼吸器モジュール（１０）であって、
　前記出口開口部（２０）は雄ねじ付きスリーブ（６０）によって形成される、請求項１１に記載の電動式空気浄化呼吸器（ＰＡＰＲ）モジュール。
【請求項１３】
　電動式空気浄化呼吸器モジュール（１０）であって、
　前記入口開口部（１８）はバヨネット型コネクタによって形成される、請求項１１に記載の電動式空気浄化呼吸器（ＰＡＰＲ）モジュール。
【請求項１４】
　電動式空気浄化呼吸器モジュール（１０）であって、
　前記出口開口部（２０）は前記バヨネット型コネクタによって形成される、請求項１３に記載の電動式空気浄化呼吸器（ＰＡＰＲ）モジュール。
【請求項１５】
　電動式空気浄化呼吸器モジュール（１０）であって、
　
ユーザに前記ＰＡＰＲ（１０）の状態を知らせるインジケータ（７０、７２）をさらに含む
【請求項１６】
　電動式空気浄化呼吸器モジュール（１０）であって、
　
前記状態は前記ＰＡＰＲモジュール（１０）内の任意のバッテリ（２２）の寿命である
【請求項１７】
　電動式空気浄化呼吸器モジュール（１０）であって、
　
前記状態は前記ＰＡＰＲモジュール（１０）を流れる少ない空気流である
【請求項１８】
　電動式空気浄化呼吸器モジュール（１０）であって、
　
前記インジケータ（７２）は可聴信号である
【請求項１９】
　電動式空気浄化呼吸器モジュール（１０）であって、
　
前記インジケータ（７０）は視覚信号である
【請求項２０】
　電動式空気浄化呼吸器モジュール（１０）であって、
　
前記視覚信号は、任意の角度から見えるように前記ＰＡＰＲモジュール（１０）の周囲に及ぶ
【請求項２１】
　電動式空気浄化呼吸器モジュール（１０）であって、
　前記モータ（２４）への電力を制御するように前記ハウジング（１２）の外側部分に装着されるアクチュエータを有するスイッチ（６６）をさらに備え、該スイッチ（６６）が装着される、前記ハウジング（１２）の前記外側部分は、該ハウジング（１２）の他の部品に対して回転可能であり、そのため、前記スイッチのアクチュエータの向きを前記ユーザの右手操作又は左手操作用にすることができる、請求項１０に記載の電動式空気浄化呼吸器（ＰＡＰＲ）モジュール。
【請求項２２】
　電動式空気浄化呼吸器モジュール（１０）であって、
　前記ハウジング（１２）は、前記コンセント（７８）の片側から該コンセント（７８）に通じるワイヤ（８８）を収容するように該コンセント（７８）に隣接したワイヤ管理溝路（４６）をさらに有する、請求項７に記載の電動式空気浄化呼吸器（ＰＡＰＲ）モジュール。
【請求項２３】
　電動式空気浄化呼吸器モジュール（１０）であって、
　前記コントローラ（４２）は、前記ＰＡＰＲ（１０）の状態又はその動作状態に関する情報を提供するようにインタフェースポート（７４）を介してリモートコンピュータにアップロードされることもできるデータを格納するようになっている、請求項９に記載の電動式空気浄化呼吸器（ＰＡＰＲ）モジュール。
【請求項２４】
　電動式空気浄化呼吸器モジュール（１０）であって、
　
前記コントローラ（４２）は、前記ＰＡＰＲモジュール（１０）を制御するようにリモートソースから入力を受け取るようになっている
【請求項２５】
　電動式空気浄化呼吸器モジュール（１０）であって、
　
前記インタフェースポート（７４）はワイヤレスである
【請求項２６】
　電動式空気浄化呼吸器モジュール（１０）であって、
　前記インタフェースポート（７４）は、前記コントローラ（４２）にハードワイヤードされている前記コンセント（７８）を前記ハウジング（１２）に有する、請求項２４に記載の電動式空気浄化呼吸器（ＰＡＰＲ）モジュール。
【請求項２７】
　電動式空気浄化呼吸器モジュール（１０）であって、
　
前記コントローラ（４２）は、前記ファン（２６）の速度を監視するようになっていると共に、該監視したファン（２６）の速度に応じて、前記ＰＡＰＲモジュール（１０）を流れる実質的に一定の流量に対し前記ファン（２６）の速度を調整するように前記モータ（２４）を制御するようになっている
【請求項２８】
　電動式空気浄化呼吸器モジュール（１０）であって、
　
前記コントローラ（４２）は内部バッテリ（２２）の寿命を監視するようになっている
【請求項２９】
　電動式空気浄化呼吸器モジュール（１０）であって、
　前記電源（２２、８０）を有効又は無効にするように、前記ＰＡＰＲモジュール（１０）から離隔し前記電源（２２、８０）に接続されるリモートスイッチ（１１２）をさらに備える、請求項２８に記載の電動式空気浄化呼吸器（ＰＡＰＲ）モジュール。
【請求項３０】
　請求項２９に記載の電動式空気浄化呼吸器モジュール（１０）であって、
　
前記ＰＡＰＲ（１０）の状態を示すように、マスク（５６）又はユーザに見える他の構造部に装着されるようになっていると共に前記ＰＡＰＲモジュール（１０）に接続されるリモートヘッドアップディスプレイ（１１６）をさらに備える
【請求項３１】
　マスク（５６）又はフード（１３６）と共に使用する空気浄化キットであって、
　請求項１に記載の１つ又は複数の電動式空気浄化呼吸器（ＰＡＰＲ）モジュール（１０）と、
　前記ＰＡＰＲモジュール（１０）に装着されるようになっていると共に、ＣＢＮ、ＮＢＣ、ＣＢＲＮ、ＴＩＭ及び大気中の粒子状物質を濾過するようになっている、１つ又は複数の濾過モジュール（５８）と、
　任意選択的に、前記ＰＡＰＲ（１０）に接続されると共に内部の前記モータ（２４）に電力を供給するようになっている、ワイヤ（８８）を有する補助的な電源（８０）と、
　任意選択的に、バッテリ充電器と、
　前記ＰＡＰＲモジュール（１０）の１つ又は複数をユーザの身体にリモート（remote）装着するベルト（８６）と、
　前記リモート装着型ＰＡＰＲモジュール（１０）の１つ又は複数を前記マスク（５６）又は前記フード（１３６）に接続するホース（８２）キットと、
　任意選択的に、
前記ユーザの前記マスク（５６）又は前記フード（１３６）に装着するヘッドアップディスプレイ（１１６）
を備える、空気浄化キット。」｝
　
（２）引用文献１の記載から分かること
　上記（１）及び図１ないし図１７の記載から、引用文献１には、次の事項が記載されていることが分かる。
　
（サ）上記（１）（ア）及び図１ないし図１７の記載から、引用文献１には、電動式空気浄化呼吸器（powered air purifying respirators：電動ファン付き呼吸用保護具）に関する発明が記載されていることが分かる。
　
（シ）上記（１）（ア）ないし（ウ）及び図１ないし図１７の記載から、引用文献１に記載された電動式空気浄化呼吸器において、濾過された空気が加速され、加圧された空気が呼吸マスクに送られることが分かる。
　
（ス）上記（１）（ア）ないし（オ）及び図１ないし図１７の記載から、引用文献１に記載された電動式空気浄化呼吸器において、ＰＡＰＲモジュール１０は、遠心ファン２６と、モータ２４と、コントローラ４２とを含み、該コントローラ４２は、遠心ファン２６の速度を監視し、監視したファン速度に応じてモータ２４の速度を制御する（当審仮訳の段落【００２４】）ことが分かる。
　
（セ）上記（１）（ク）及び図１２の記載から、引用文献１に記載された電動式空気浄化呼吸器において、ＰＡＰＲモジュール１０をワイヤレス送信機１１４と共に用いることができ、この送信器１１４は、ユーザの面体５６又はフードに配置されるヘッドアップディスプレイモジュール１１６へのワイヤレス通信のためにインタフェースポート７４に挿入することができ、ヘッドアップディスプレイは面体５６内に装着され、例えば面体５６の内側にユーザによって明示される稼働時間又はバッテリ電力レベル等の動作情報を表示することができることが分かる。また、ワイヤレス送信機１１４とワイヤレス通信を行うヘッドアップディスプレイモジュール１１６は、ワイヤレス受信機能を有することが分かる。
　
（ソ）上記（１）（キ）及び図１０及び図１１の記載から、引用文献１に記載された電動式空気浄化呼吸器において、ＰＡＰＲモジュール１０にリモートスイッチを接続することができ、ＰＡＰＲモジュール１０をリモートでオン／オフすることができるとともに、稼働時間又はバッテリ寿命表示等の情報をユーザーに提供するように構成することもできることが分かる。この場合には、リモートスイッチは、ＰＡＰＲモジュール１０に情報（オン／オフ）の送信を行うとともに、ＰＡＰＲモジュール１０から情報（稼働時間又はバッテリ寿命等）の受信を行っているといえる。
　
（タ）上記（１）（ケ）の請求項２４及び２５の記載から、コントローラ４２はリモートソースから入力を受け取ることができ、インターフェースポート７４はワイヤレスであるから、コントローラ４２は、インターフェースポート７４を介して、リモートソースからワイヤレスに入力を受け取ることができると解される。
　
（チ）上記（１）（ク）の段落［０００５９］の「The heads up wireless transmitter 114 and display module 116 can be used with both a mask mounted PAPR module 10 and a belt or remote mounted PAPR module 10. （当審仮訳：ヘッドアップワイヤレス送信器１１４及びディスプレイモジュール１１６は、マスク装着型ＰＡＰＲモジュール１０及びベルト型又はリモート装着型ＰＡＰＲモジュール１０の双方と使用することができる。）」という記載から、ヘッドアップワイヤレス送信器１１４及びディスプレイモジュール１１６と、リモート装着型ＰＡＰＲモジュール１０とを共に使用することが想定されているといえる。
　
（３）引用発明及び引用技術１
　上記（１）及び（２）並びに図１ないし１７の記載から、引用文献１には、次の発明（以下、「引用発明」という。）が記載されているといえる。
  
「濾過された空気の強制的な流れを着用者に送給するための電動式空気浄化呼吸器であって、
　遠心ファン２６と、モータ２４と、ワイヤレス送信機１１２を有するコントローラ４２とを含む、ＰＡＰＲモジュール１０構成要素を備える、ＰＡＰＲモジュール１０であって、前記遠心ファン２６が、前記コントローラ４２の制御下で前記モータ２４によって駆動され、前記コントローラ４２が、前記ワイヤレス送信機１１２を介して情報を送信するように構成されている、ＰＡＰＲモジュール１０と、
　前記ＰＡＰＲモジュール１０構成要素に電力を提供する電源２２と、
　前記ＰＡＰＲモジュール１０及び／又は前記ＰＡＰＲモジュール１０構成要素の現在の動作状態を表示するように適合された、少なくとも１つのディスプレイモジュール１１６と、を備え、
　前記ディスプレイモジュール１１６が、前記ＰＡＰＲモジュール１０から遠隔にあり、前記ワイヤレス送信機１１２及びディスプレイモジュール１１６が、無線通信し、所定の範囲内において通信するように構成され、
　前記ワイヤレス送信機１１２及びディスプレイモジュール１１６がネットワークとして配置される、
　電動式空気浄化呼吸器。」
　
　また、上記（１）及び（２）並びに図１ないし１７の記載から、引用文献１には、次の技術（以下、「引用技術１」という。）が記載されているといえる。
　
「濾過された空気の強制的な流れを着用者に送給するための電動式空気浄化呼吸器において、
　ＰＡＰＲモジュール１０のインターフェースポート７４に、情報の送信と受信を行うリモートスイッチ１１２を接続する技術。」
　
２−１−２　引用文献２
（１）引用文献２の記載
　本願の優先日前に頒布され、原査定の拒絶の理由に引用された刊行物である特表２０００−５０７１２１号公報（以下、「引用文献２」という。）には、「呼吸装置の差動性を調査するための方法及びシステム」に関し、図面とともに、例えば、次のような記載がある。なお、下線は、理解の一助のため当審で付したものである。
　
（ア）「【特許請求の範囲】
　1.  
呼吸装置の正しい機能を確認し表示する方法において、呼吸装置が呼吸に適しているガスを使用者に供給する手段、少なくとも一つの電気部品、少なくとも一つの電気部品に接続されたプロセッサー、及びプロセッサーに接続された少なくとも一つの状態表示器を含み、次の工程を含む方法
−検査信号をプロセッサーで生成する；
−少なくとも一つの電気部品へ検査信号を送る；
−検査信号に対する反応を少なくとも一つの電気部品で生成する；
−プロセッサーに反応を伝達する；
−少なくとも一つの電気部品の正しい機能に対応する予め決められた反応を少なくとも一つの電気部品の状態を決定するためのプロセッサーで比較する；
−少なくとも一つの電気部品の正しい又は誤った機能に対応する出力信号をプロセッサーで生成する；
−状態表示器に出力信号を伝達する；及び
−少なくとも一つの電気部品の正しい又は誤った機能を表示するために状態信号を状態表示器で生成する。
　2.  次の工程のうち少なくとも一つを実行できない場合に少なくとも一つの電気部品の誤った機能の表示を行うことを特徴とする請求の範囲１に記載の方法：
−検査信号をプロセッサーで生成する；
−少なくとも一つの電気部品へ検査信号を送る；
−検査信号に対する反応を少なくとも一つの電気部品で生成する；
−プロセッサーに反応を伝達する；
−少なくとも一つの電気部品の正しい機能に対応する予め決められた反応を少なくとも一つの電気部品の状態を決定するためのプロセッサーで比較する；
−少なくとも一つの電気部品の正しい又は誤った機能に対応する出力信号をプロセッサーで生成する；
−状態表示器に出力信号を伝達する。
　3.  前記確認又は表示が呼吸装置中の電気部分の起動によって開始されることを特徴とする請求の範囲１に記載の方法。
　4.  前記電気部分が起動している時はいつでも前記確認又は表示が断続的に実行されることを特徴とする請求の範囲３に記載の方法。
　5.  前記確認又は表示が少なくとも一秒毎に実行されることを特徴とする請求の範囲４に記載の方法。
　6.  前記状態表示が可視表示であることを特徴とする請求の範囲１〜５のいずれか一つに記載の方法。
　7.  前記状態表示が可聴表示であることを特徴とする請求の範囲１〜５のいずれか一つに記載の方法。
　8.  前記状態表示が機械的表示、例えば振動であることを特徴とする請求の範囲１〜５のいずれか一つに記載の方法。
　9.前記状態表示が離れた位置にある制御ステーションの受信機へ伝達されることを特徴とする請求の範囲１〜５のいずれか一つに記載の方法。
　10．少なくとも一つの電気ベース部品（１０，１４，１７，１９）を含む呼吸装置中の少なくとも一つの電気ベース部品の作動性を調査するためのシステムであって、それが
−前記呼吸装置（１６）が起動している時に検査信号を生成して送り、状態信号を受け取るために少なくとも一つの前記電気ベース部品（１０，１４，１７，１９）と情報伝達できるように連結された処理手段（７）；及び
−前記の少なくとも一つの電気ベースの部品（１０，１４，１７，１９）の作動性の表示を与えるために前記処理手段（７）と情報伝達できるように連結された表示手段（１１）を含み：
前記処理手段（７）は少なくとも一つの電気ベース（１０，１４，１７，１９）部品がそれぞれ正しく機能している又はしていないという前記表示を与えるために前記表示手段（１１）を制御することを特徴とするシステム。
　11．前記システムが前記処理手段（７）と情報伝達できるように連結された送信機（２１）及び受信ステーション（２２）を含み、前記送信機（２１）は受信ステーションに表示を伝達することを特徴とする請求の範囲１０に記載のシステム。
　12．表示手段（１１）が可視表示手段であることを特徴とする請求の範囲１０又は１１に記載のシステム。
　13．表示手段（１１）が可聴表示手段であることを特徴とする請求の範囲１０又は１１に記載のシステム。
　14．表示手段（１１）が機械的表示手段であることを特徴とする請求の範囲１０又は１１に記載のシステム。」（【特許請求の範囲】の請求項１ないし１４）
　
（イ）「
本発明は、例えばダイバー、消防士又は危険材料を取り扱う人によって使用される呼吸装置に関する
　
（ウ）「従って本発明の目的は呼吸装置中の電気ベース部品の作動性を調査するための手段を提供することである。
　本発明の他の目的は少なくとも一つの電気ベース部品が機能不全の場合に欠陥警告表示を与えることである。
　更に本発明の他の目的は、使用者によるいかなる行動も要求されずにすべての電気ベース部品の動作調査を素早く、自動的に開始することである。」（第６ページ第１３ないし１８行）
　
（エ）「これらの及び他の目的、特徴及び利点は呼吸装置中の少なくとも一つの電気ベース部品の正しい作動性を調査するためのシステムによって達成される。主として呼吸装置は出口開口に弁が付いた高圧ガス容器、減圧調節器経由で高圧ガス容器に接続された呼吸マスク、及び幾つかの電気ベース部品を含む。本発明におけるシステムは表示手段及び処理手段を含む。処理手段は情報伝達ができるように少なくとも一つの電気ベース部品と表示手段に連結される。処理手段を含む呼吸装置が、例えば弁の開口上のスイッチ又は他の手段に影響を与えることによって起動される時、処理手段は少なくとも一つの電気ベース部品から状態信号を受け取る。もし状態信号が受け取られなければ、表示手段は少なくとも一つの電気ベース部品が正しく機能してないという可視警告表示を与えるために処理手段によって制御される。
　
本発明の一つの実施例において、表示手段は少なくとも一つの電気ベース部品が正しく機能してないという可視警告表示を与えることができる
　本発明の他の実施例において、表示手段は少なくとも一つの電気ベース部品が正しく機能してないという可視警告表示を与えるために動かない又は点滅する（即ち一時的についたり消えたりする）。
　本発明の更なる他の実施例において、表示手段は少なくとも一つの電気ベース部品が正しく機能してないという可聴警告表示を与えることができる。
　更に本発明の他の実施例において、表示手段は少なくとも一つの電気ベース部品が正しく機能してないという機械的警告表示（例えば振動）を与えることができる。」（第６ページ第２０行ないし第７ページ第１２行）
　
（オ）「図によると、呼吸装置１６は通常呼吸ガスが入ったガスシリンダー又はガス容器１であるガス貯蔵器を含む。呼吸ガスは、容器が満タンの時、通常３００バールの圧力下で少なくとも２０％容量の酸素及び不活性ガス（例えば窒素又はヘリウムなど）を典型的に含む酸素含有ガス又は空気を含んでもよい。ガス容器１は弁２が装着される出口開口を含む。ガス容器１は弁２を通じて第１圧力調節器４に接続される。ライン３は第１圧力調節器４から呼吸マスク６のすぐ上流に位置する第２圧力調節器５へ延びる。
　第１圧力調節器４は第１圧力調節器４の下流のライン３においてガス容器内を典型的には約７バールまで減圧するために調節される。第２圧力調節器５は呼吸マスク６へ渡すガスの圧力を約２５ｍｍ水柱の圧力、つまり呼吸マスク６での使用に適した圧力まで更に減らす。着用者が呼吸するにつれ、マスク内の圧力が呼吸段階中にこの弁の周りで振動し、これにより絶えず高圧を維持する。第２圧力調節器５は通常、マスク着用前に閉められ、着用者が初めて吸い込む時に生じる圧力の減少によって開けられる条件制御された調節器である。マスク６内の相対圧力が予め決められた値より下がる時、第２圧力調節器５が開けられる。
　更に、図は位置１２、即ち弁２と第１圧力調節器４の間で圧力に反応する圧力感知器１０を示す。圧力感知器１０は位置１２において圧力を測定し、ライン８経由でマイクロプロセッサー７に接続される。ライン９はマイクロプロセッサー７から表示器１１へ延びる。この具体例において表示器１１は呼吸マスク６内に取り付けられ、発光ダイオード（ＬＥＤ）又は他の光学装置などの少なくとも一つの表示装置を含む。好ましくは、少なくとも一つの表示装置は動作検査において調査される各機能のために与えられる。使用者は呼吸マスク６に与えられた表示器１１を、好ましくはマスク６が着用された時及び外された時の両方において見ることができ、使用者の近くの他の人も見ることができる。
　第２圧力調節器５とマスク６を接続するガス管は第２圧力調節器５によって減らされたガス圧力を監視する低圧感知器１９を含む。低圧感知器１９はライン２０経由でマイクロプロセッサー７に接続される。
　呼吸マスク６は、好ましくはライン１５経由でマイクロプロセッサー７に接続された差圧計量器１４も与えられる。測定された差圧はマスク６を着けた使用者又は使用者の近くの他の人のいずれかが見ることができる表示器１１によって表示される。
　より複雑なコンピューターシステムであってもかまわないマイクロプロセッサー７はライン１８経由で個人警報安全システム(Personal Alert Safety System)（ＰＡＳＳ）ユニット１７に接続される。起動される時、ＰＡＳＳユニット１７は呼吸装置１６を着用した使用者の動きを表示する。もしＰＡＳＳユニット１７が予め決められた時間間隔中に使用者によるいずれの動きも感知しないならば、ＰＡＳＳユニット１７は使用者が動かないこと及び遭難したかもしれないことを表示するための警告信号を与える。
　
ライン８，９，１５，１８及び２０はマイクロプロセッサー７が圧力感知器１０、表示器１１、差圧計量器１４、ＰＡＳＳユニット１７、及び低圧感知器１９のそれぞれと情報伝達するために、公知のワイヤレス情報伝達手段を使用してもかまわない場合には不要である
　呼吸装置１６中の電気ベース部品の動作を調査するために、好ましくはマイクロプロセッサー７に位置するスイッチが圧力感知器１０、表示器１１、差圧計量器１４、ＰＡＳＳユニット１７、及び低圧感知器１９などの他の電気ベース部品だけでなく呼吸装置１６及びマイクロプロセッサー７も起動する。電源が入るとすぐに、上述の各電気ベース部品はそれぞれのライン経由でマイクロプロセッサー７へ信号を送る。この信号は対応する電気ベース部品の電源が入ったこと及び電気ベース部品が正しく機能していることを表示する。又この信号は圧力感知器１０、表示器１１、差圧計量器１４、ＰＡＳＳユニット１７、及び低圧感知器１９のそれぞれとマイクロプロセッサー７を接続するライン８，９，１５，１８及び２０などの電流伝導コンジットにおいて故障がないことを確認する。この実施例において電気ベース部品の動作の調査を装置１６の使用中のみならず使用前にも行うことができる。
　スイッチによって呼吸装置１６を起動しないで、ガス圧力を開始し高圧ガス容器１からガスを流し始めるために弁２を開けることによって前記装置を起動することができる。これは圧力感知器１０、表示器１１、差圧計量器１４、ＰＡＳＳユニット１７、及び低圧感知器１９などの他の電気ベース部品だけでなく呼吸装置１６及びマイクロプロセッサー７も起動する。
　マイクロプロセッサー７は電気ベース部品が正しく機能していることを確認する信号を受け取るとすぐに、信号を表示器１１に送る。表示器１１は、好ましくはすべての電気ベース部品が正しく機能しているという可視表示を与えるために個々のＬＥＤをつける。すでに述べたように、好ましくは各ＬＥＤは一つの電気ベース部品の動作状態に対応する。
　もしマイクロプロセッサー７が電気ベース部品からの信号を受け取らないならば、表示器１１が動かない、即ちつかない。或いは、もし信号が受け取られないならば、表示器１１が一時的についたり消えたりしてもよい、即ち点滅してもよい。例えば、もし電源が入った後すぐに圧力感知器１０がマイクロプロセッサー７へ信号を送らないならば、マイクロプロセッサー７が動かない、即ち表示器１１をつけたり点滅したりしない。これは機能不全が少なくとも一つの電気ベース部品又は電流伝導コンジットで生じたことを使用者に知らせる。
　或いは、本発明の他の実施例において、もし電気ベース部品が正しく機能していることを確認する信号をマイクロプロセッサー７が受け取らないならば、表示器１１が作動される。これは少なくとも一つの電気ベース部品又は電流伝導コンジットが正しく機能してないという可視警告表示を与える。
　本発明の他の実施例において、電源が入った後マイクロプロセッサー７は呼吸装置１６の起動後、電気ベース部品のそれぞれに検査信号を送る。検査信号が、例えば圧力感知器１０、表示器１１、差圧計量器１４、ＰＡＳＳユニット１７、及び低圧感知器１９によって個々に受け取られた後、状態信号がこれら電気ベース部品のそれぞれからマイクロプロセッサー７へ送られる。もし状態信号が電気ベース部品のどれからも受け取られないならば、表示器１１、好ましくは一つのＬＥＤが動かない、即ちついたり点滅したりしない。これは少なくとも一つの電気ベース部品が正しく機能してないという可視警告表示を与える。或いは、もしなくとも一つの電気ベース部品が正しく機能してないということを可視的に表示するための状態信号が少なくとも一つの電気ベース部品から受け取られないならば、表示器１１、好ましくは一つのＬＥＤがつかなくてもよい。
　これに対して、もしマイクロプロセッサー７が状態信号を受け取るならば、信号はディジタル表現に変えられる。状態信号のディジタル表現は電気ベース部品の正しい動作に対応する予め決められた記憶されたしきい値表現と比較される。もし状態信号のディジタル表現が予め決められた記憶されたしきい値表現と異なるならば、表示器１１、好ましくは一つのＬＥＤが動かない、即ち点滅したり、ついたりしない。或いは、もし状態信号のディジタル表現が予め決められた記憶されたしきい値表現と異なるならば、表示器１１、好ましくは一つのＬＥＤが動作されてもよい、即ちついてもよい。両方の選択肢は少なくとも一つの電気ベース部品が正しく機能していないという可視警告表示を与える。
　本発明の他の態様はマイクロプロセッサー７が機能不全であるかどうかを表示する表示器１１中のＬＥＤを含む。もしマイクロプロセッサー７が機能しないならば、表示器１１においてマイクロプロセッサー７の動作状態に対応するＬＥＤがつくだろう。或いは、この実施例において、上述の例のようにもしマイクロプロセッサー７が機能しないならば、ＬＥＤが動かなくても、点滅しなくてもよい。
　本発明は呼吸装置１６に取り付けられた伝達装置２１も含む。送信機２１は離れた位置にある制御ステーション２２の受信機へ少なくとも一つの信号を送るために制御される。信号は呼吸装置１６中の電気ベース部品の動作状態の状況（即ち本発明の上述に従って電気ベース部品が調査された後、電気ベース部品が正しく機能しているか）を制御ステーション２２へ知らせる。」（第７ページ第１９行ないし第１１ページ第１２行）
　
（２）引用文献２の記載から分かること
　上記（１）（ア）ないし（オ）及び図１の記載から、引用文献２には、次の事項が記載されていることが分かる。
  
（カ）上記（１）（ア）ないし（オ）及び図１の記載から、引用文献２には、呼吸装置１６中の電気部品の状態を検査し、検査信号を送り、表示する装置が記載されていることが分かる。
  
（キ）上記（１）（オ）の「ライン８，９，１５，１８及び２０はマイクロプロセッサー７が圧力感知器１０、表示器１１、差圧計量器１４、ＰＡＳＳユニット１７、及び低圧感知器１９のそれぞれと情報伝達するために、公知のワイヤレス情報伝達手段を使用してもかまわない場合には不要である。」という記載から、マイクロプロセッサー７が、圧力感知器１０、表示器１１、差圧計量器１４、ＰＡＳＳユニット１７、及び低圧感知器１９のそれぞれと情報伝達するために、公知のワイヤレス情報伝達手段を使用することができることが分かる。
　
（３）引用技術２
　上記（１）及び（２）並びに図１の記載から、引用文献２には、次の技術（以下、「引用技術２」という。）が記載されているといえる。
　
「呼吸装置中の電気部品の状態を検査し、検査信号を送り、表示する装置において、
　マイクロプロセッサー７が、圧力感知器１０、表示器１１、差圧計量器１４、ＰＡＳＳユニット１７、及び低圧感知器１９のそれぞれと情報伝達するために、公知のワイヤレス情報伝達手段を使用する技術。」
　
２−１−３　引用文献３
（１）引用文献３の記載
　本願の優先日前に頒布され、原査定の拒絶の理由に引用された刊行物である特表平６−５０４２４５号公報（以下、「引用文献３」という。）には、「ポータブル呼吸装置用監視装置」に関し、図面とともに、例えば、次のような記載がある。なお、下線は、理解の一助のため当審で付したものである。
　
（ア）「請求の範囲
１．呼吸装置の１つまたは複数の圧力容器内の圧力を圧力センサを用いて検出しかつ圧力を表す電気的な圧力信号を送出する圧力測定装置と、
　前記圧力測定装置から送出された圧力信号を受取りかつこれに相応する送信信号を送出する送信装置と、
　
前記送信装置から放射される送信信号を受信する受信装置と
　前記受信装置に結合されかつデータを、少なくとも部分的に、前記受信装置から受信された送信信号から導出される数または記号として指示する指示装置とを備えている、
ポータブル呼吸装置用監視装置において
　前記送信装置は、前記送信信号が間隔をおいて送出されるように作用する制御装置を有しており、かつ
　
前記送信装置は、個々の送信装置に対して特徴的でありかつこれを一義的に識別する識別信号を発生する信号発生装置を有しており
　前記制御装置は、前記識別信号がそれぞれの送信インターバル内で少なくとも１回送信されるように作用し、かつ
　
前記受信装置は、所属の個々の送信装置に対応している識別比較信号が記憶されるメモリを有しており
　
前記受信装置によって検出された信号の転送ないし後続処理は、前記受信装置によって受信されかつ該受信装置に記憶された前記識別比較信号が一致しているときにのみ行われる
ことを特徴とする監視装置。」（特許請求の範囲の請求項１）
　
（イ）「
本発明の監視装置は、送信装置とこの送信装置とは切り放されている受信装置とから成っている
　従って受信装置を任意の方法で利用者は携帯することができる。受信装置は利用者の手首に直接配置されていると有利である。このことは顔面マスクに配置する場合に比べて、利用者が指示の読み取りの際の適応調節に困難を有しないという利点を有している。更には利用者は、ともすれば利用者を惑わせたり、気を反らせたりすることになりがちである、指示計器を常時視野におく必要もない、利用者にとって手首への配置は、利用者が例えばなにかある仕事を手で行うときにも相応の指示データを簡単に読み取することが可能である。
（中略）
　
無線伝送の際の過小評価すべきではない危険は、相応の職務遂行またはダイビング活動が通例、単独では行われず、複数の人員が職務遂行またはダイビング活動を一緒に行うということからも生じる
ある受信装置がそばにいる人員の送信装置の信号を受信し、従って利用者に誤った値を指示する危険性は非常に高い
　
グループ内で複数の監視装置の利用する問題点を、それぞれの機器に固有の周波数を割り当て、これらの周波数を相応に調節された受信装置によってしか受信することができないようにすることによって解決することができる
　受信される信号の強度が距離とともに低減されるという事実も、このような場合に機器の一義的な対応を保証するために十分ではない。
　一方において、ある程度残る受信強度は、送信機および受信機が相互に比較的短い距離において配置されておりかつ常時相互に同じ空間関係を有しているときにしか到達することができない、しかしこのことは、送信機が圧力容器に取り付けられかつ受信機が利用者の頭または例えば顔面マスクの領域に取り付けられている場合にはそれだけでそうはならない。この場合、空間的な対応、従って受信強度を変化するために、首を回すだけで十分である。送信機が圧力容器に取り付けられかつ受信機が利用者の手首に取り付けられているならば、利用者の運動に依存して、受信強度の著しい変動を計算すべきである。その上、例えばダイビングの際の気泡のような別の障害が受信強度に付加的に影響することがある。
　更に、例えば対象または人員の共同救助の際に様々な利用者の距離が非常に短くなることがあり、その場合距離により得られる強度差はもはや役割を果さない。
　このことは例えば、ダイバーが、苦境に陥っている仲間を救助しようとするとき当て嵌まる。
　本発明の監視装置はこの問題点を非常に信頼性をもって解決する。
識別信号の使用によって、それぞれの受信機器は常に、対応する送信機器から放射される信号のみを受信しかつ引き続いて処理することが保証される
　有利な実施例によれば、データおよび識別信号の伝送はデジタルに行われる。これにより、データ伝送のより大きな信頼性が得られ、かつ更に、この信号を相応に大きな数の個々のビットから組み合わせることによって多数の識別パターンを選択することが可能である。」（第５ページ左下欄第２１行ないし第６ページ左下欄第１０行）
　
（２）引用技術３
　上記（１）及び図１ないし８の記載から、引用文献３には、次の技術（以下、「引用技術３」という。）が記載されているといえる。
　
「送信装置と受信装置とを備えるポータブル呼吸装置用監視装置において、送信装置から受信装置に信号を送信する際に、固有の周波数を割り当てたり、識別信号を使用することにより、別の送信機からの信号による危険を防止する技術。」
  
２−２　対比
　本願補正発明と引用発明とを対比すると、引用発明における「電動式空気浄化呼吸器」は、その機能、構成又は技術的意義からみて、本願補正発明における「電動空気浄化式呼吸用保護具」に相当し、以下同様に、「遠心ファン２６」は「ファン」に、「モータ２４」は「電動モータ」に、「コントローラ４２」は「電子制御ユニット」に、「ＰＡＰＲ構成要素」は「ターボユニット構成要素」に、「ＰＡＰＲモジュール１０」は「ターボユニット」に、「電源２２」は「ターボユニット電源」に、それぞれ、相当する。
　また、引用発明における「ワイヤレス送信機１１４」は、「無線送信機」という限りにおいて、本願補正発明における「無線電子制御送受信機」及び「電子制御送受信機」に相当する。
　また、引用発明における「ディスプレイモジュール１１６」は、本願補正発明における「ターボ状態表示器ユニット」に相当するとともに、無線受信機能を有するから、「無線受信機」という限りにおいて、本願補正発明における「無線ターボ状態送受信機」にも相当する。
　また、引用発明における「ディスプレイモジュール１１６が、ＰＡＰＲモジュール１０から遠隔にあり」は、本願補正発明における「ターボ遠隔制御ユニット及びターボ状態表示器ユニットのうちの少なくとも１つが、ターボユニットから遠隔にあり」に包含される。
　また、引用発明における「ワイヤレス送信機１１２及びディスプレイモジュール１１６が、無線通信し」は、「無線送信機及び無線受信機が、無線通信し」という限りにおいて、本願補正発明における「電子制御送受信機、ターボ遠隔制御送受信機、及びターボ状態送受信機が、互いに無線通信し」に相当する。
　また、引用発明における「所定の範囲内」は、「所定の範囲内」という限りにおいて、本願補正発明における「７５メートル未満の範囲内」に相当する。
　また、引用発明における「ネットワーク」は、「ネットワーク」という限りにおいて、本願補正発明における「閉ループネットワーク」に相当する。
　
　以上から、本願補正発明と引用発明は、
「濾過された空気の強制的な流れを着用者に送給するための電動空気浄化式呼吸用保護具であって、
　ファンと、電気モータと、無線電子制御送信機を有する電子制御ユニットとを含む、ターボユニット構成要素を備える、ターボユニットであって、前記ファンが、前記電子制御ユニットの制御下で前記電気モータによって駆動され、前記電子制御ユニットが、前記無線送信機を介して情報を送信するように構成されている、ターボユニットと、
　前記ターボユニット構成要素に電力を提供するターボユニット電源と、
　無線ターボ遠隔制御送信機を有するターボ遠隔制御ユニットと、
　無線送信機を有する、前記ターボユニット又は前記ターボユニット構成要素の現在の動作状態を表示するように適合された、少なくとも１つのターボ状態表示器ユニットと、を備え、
　前記ターボ遠隔制御ユニット及び前記ターボ状態表示器ユニットのうちの少なくとも１つが、前記ターボユニットから遠隔にあり、前記無線送信機及び前記無線受信機が、互いに無線通信し、所定の範囲内において通信するように構成され、
　前記無線送信機、及び前記無線受信機が、ネットワークとして配置される、電動空気浄化式呼吸用保護具。」
である点で一致し、次の点で相違又は一応相違する。
  
〈相違点〉
（１）「無線送信機」及び「無線受信機」に関して、本願補正発明においては、ターボユニット構成要素である電子制御ユニットが「無線電子制御送受信機」を有し、ターボ状態表示ユニットが「無線ターボ状態送受信機」を有するのに対して、引用発明においては、ＰＡＰＲモジュール１０のコントローラ４２が「ワイヤレス送信機１１４」を有し、ディスプレイモジュール１１６が無線受信機能を有するものの、それぞれが「無線送受信機」を有するか否か明らかでない点（以下、「相違点１」という。）。
　
（２）「無線ターボ遠隔制御送受信機」に関して、本願補正発明においては、「無線ターボ遠隔制御送受信機を有するターボ遠隔制御ユニット」を備えるのに対し、引用発明においては、「無線ターボ遠隔制御送受信機を有するターボ遠隔制御ユニット」を備えるか否か明らかでない点（以下、「相違点２」という。）。
　
（３）「無線送信機及び無線受信機が、無線通信し、所定の範囲内において通信するように構成され」に関して、本願補正発明においては、「電子制御送受信機、ターボ遠隔制御送受信機、及びターボ状態送受信機が、互いに無線通信し、７５メートル未満の範囲内において通信するように構成され」るのに対し、引用発明においては、「ワイヤレス送信機１１２及びディスプレイモジュール１１６が、無線通信し、所定の範囲内において通信するように構成され」るものの、「電子制御送受信機、ターボ遠隔制御送受信機、及びターボ状態送受信機が、互いに無線通信し、７５メートル未満の範囲内において通信するように構成され」るか否か明らかでない点（以下、「相違点３」という。）。
　
（４）「無線送信機、及び無線受信機が、ネットワークとして配置される」に関して、本願補正発明においては、「電子制御送受信機、ターボ遠隔制御送受信機、及びターボ状態送受信機が、閉ループネットワークとして配置される」のに対し、引用発明においては、「ワイヤレス送信機１１２及びディスプレイモジュール１１６が、ネットワークとして配置される」ものの、「電子制御送受信機、ターボ遠隔制御送受信機、及びターボ状態送受信機が、閉ループネットワークとして配置される」か否か明らかでない点（以下、「相違点４」という。）。
　
２−３　判断
　上記各相違点について検討する。
（１）相違点１について
　引用発明においては、ＰＡＰＲモジュール１０のコントローラ４２がインターフェースポート７４及びワイヤレス送信機１１４を介して、ディスプレイモジュール１１６に信号を送信しているが、無線通信の技術分野においては、例えば、エラーチェック等の機能のため、受信機から送信機に対して、要求信号を通信する機能を備えていることは本願の優先日前に周知の技術（以下、「周知技術１」という。例えば、国際公開第２００９／０９６１４５号（段落［０００２］等の記載を参照。）及び国際公開第２００９／０５４８５６号（段落［０００５］等の記載を参照。）等を参照。）である。
　したがって、引用文献１に記載の「ワイヤレス送信機１１４」において、受信機からの信号を受信できる機能を備えることは、当業者における周知技術を適用したものにすぎない。
　また、引用文献１には、リモートスイッチ１１２を備えた実施例（上記２−１−１（１）（カ）、（キ）及び図８を参照。）において、リモートスイッチ１１２とインターフェースポート７４との間で信号を送受信することも記載され（上記２−１−１（２）（ソ）及び「引用技術１」を参照。）、さらに、リモートソースからワイヤレスで入力を受け取ることも記載されている（上記２−１−１（２）（タ）を参照。）から、リモートスイッチ１１２とインターフェースポート７４との間でワイヤレスで送受信することも当業者にとって自明といえる。
　さらに、上記引用技術２は、
「呼吸装置中の電気部品の状態を検査し、検査信号を送り、表示する装置において、
　マイクロプロセッサー７が、圧力感知器１０、表示器１１、差圧計量器１４、ＰＡＳＳユニット１７、及び低圧感知器１９のそれぞれと情報伝達するために、公知のワイヤレス情報伝達手段を使用する技術。」
というものであるから、マイクロプロセッサー７と、表示器１１及び各種センサとの間でワイヤレス情報伝達手段を使用するものである。
　これらのことから、引用発明において、周知技術１並びに引用技術１及び２を適用することにより、相違点１に係る本願補正発明の発明特定事項を得ることは、当業者が容易に想到できたことである。
　
（２）相違点２について
　上記（１）に記載したように、引用文献１にはリモートスイッチ１１２を備えた実施例（上記２−１−１（１）（カ）、（キ）及び図８を参照。）において、リモートスイッチ１１２とインターフェースポート７４との間で信号を送受信することも記載され（上記「引用技術１」を参照）、さらに、リモートソースからワイヤレスで入力を受け取ることも記載されているから、リモートスイッチ１１２とインターフェースポート７４との間でワイヤレスで送受信することも当業者にとって自明といえる。
　また、引用文献１の翻訳文の段落【００３３】の「インタフェースポート７４がＰＡＰＲモジュール１０に対し多目的通信ポートとして機能することができる。」という記載及び段落【００４１】の「ヘッドアップワイヤレス送信器１１４及びディスプレイモジュール１１６は、マスク装着型ＰＡＰＲモジュール１０及びベルト型又はリモート装着型ＰＡＰＲモジュール１０の双方と使用することができる。」という記載を踏まえれば、インターフェースポート７４は多目的通信ポートであり、複数の機能を併用することも想定されているといえる。
　してみれば、引用発明において、周知技術１並びに引用技術１及び２を適用することにより、相違点２に係る本願補正発明の発明特定事項を得ることは、当業者が容易に想到できたことである。
　
（３）相違点３について
　上記（１）に記載したように、引用文献１には、インターフェースポート７４がワイヤレス送信器１１４を介してヘッドアップディスプレイモジュール１１６と互いに通信すること、及びインターフェースポート７４がリモートスイッチ１１２と互いに通信することも記載されている。
　また、上記引用技術２は、マイクロプロセッサー７と、各部品の間で互いにワイヤレス情報伝達手段を使用するものである。
　また、無線通信の範囲を７５メートル未満の範囲内とすることは、所定の仕様や規格に従って当業者が必要に応じ設定することであり、また、本願の優先日前に周知の技術（以下、「周知技術２」という。例えば、特開２００５−３５４３５０号公報（段落【００７２】等の記載を参照。）及び特開２００７−２９３７０５号公報（段落【００３３】等の記載を参照。）等を参照。）でもある。
　してみれば、引用発明において、引用技術１及び２並びに周知技術１及び２を適用することにより、相違点３に係る本願補正発明の発明特定事項を得ることは、当業者が容易に想到できたことである。
　
（４）相違点４について
　ポータブル呼吸装置の技術分野において、無線通信を使用する際に他の通信機からの危険を防止するために、閉ループネットワークを構成することは、例えば上記引用技術３に示されるように、本願の優先日前に周知の技術（以下、「周知技術３」という。）である。
　してみれば、引用発明において、引用技術１及び２並びに周知技術１ないし３を適用することにより、相違点４に係る本願補正発明の発明特定事項を得ることは、当業者が容易に想到できたことである。
　
（３）まとめ
　そして、本願補正発明は、全体として検討しても、引用発明１、引用技術１及び２並びに周知技術１ないし３から予測される以上の格別の効果を奏すると認めることはできず、本願補正発明は、引用発明１、引用技術１及び２並びに周知技術１ないし３に基づいて当業者が容易に発明をすることができたものである。
　よって、本願補正発明は、特許法第２９条第２項の規定により、特許出願の際独立して特許を受けることができないものである。
　
３　むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記［補正の却下の決定の結論］のとおり決定する。
  
第３　本願発明について
１　本願発明
　上記のとおり、平成２７年１０月１３日付けの手続補正は却下されたため、本願の請求項１ないし３に係る発明は、平成２７年４月３日付け手続き補正書により補正された特許請求の範囲、平成２４年１１月１３日に翻訳文が提出された明細書及び国際段階の図面の記載からみて、その特許請求の範囲の請求項１ないし３に記載された事項により特定されるものであり、請求項１に係る発明（以下、「本願発明」という。）は、上記第２［理由］１（１）（ア）【請求項１】のとおりのものである。
  
２　引用発明１及び２
　本願の優先日前に頒布され、原査定の拒絶の理由に引用された引用文献１（国際公開第２００９／０６７５８３号）、引用発明１及び引用技術１は、前記第２［理由］２−１　２−１−１に記載したとおりである。
　また、本願の優先日前に頒布され、原査定の拒絶の理由に引用された引用文献２（特表２０００−５０７１２１号公報）及び引用技術２は、前記第２［理由］２−１　２−１−２に記載したとおりである。
　また、本願の優先日前に頒布され、原査定の拒絶の理由に引用された引用文献３（特表平６−５０４２４５号公報）及び引用技術３は、前記第２［理由］２−１　２−１−３に記載したとおりである。
　
３　対比・判断
　前記第２［理由］１（２）で検討したとおり、本件補正は、本件補正前の特許請求の範囲の請求項１に係る発明、すなわち本願発明の発明特定事項をさらに限定するものであるから、本願発明は、実質的に本願補正発明における発明特定事項の一部を省いたものに相当する。
　そうすると、本願発明の発明特定事項を全て含む本願補正発明が、前記第２［理由］２−２及び２−３に記載したとおり、引用発明１、引用技術１及び２並びに周知技術１ないし３に基づいて当業者が容易に発明をすることができたものであるから、本願発明も、同様の理由により、引用発明１、引用技術１及び２並びに周知技術１ないし３に基づいて当業者が容易に発明をすることができたものである。
  
４　まとめ
　以上のとおり、本願発明は、引用発明１、引用技術１及び２並びに周知技術１ないし３に基づいて当業者が容易に発明をすることができたものであるから、特許法第２９条第２項の規定により、特許を受けることができない。
  
第４　むすび
　上記第３のとおり、本願発明は、特許法第２９条第２項の規定により、特許を受けることができないので、本願は拒絶すべきものである。
　
　よって、結論のとおり審決する。